(57)【要約】【課題】基板ケースの不正な取外しを簡単かつ確実に防止できるようにして、遊技機に対する不正行為を効果的に予防する。【解決手段】前面扉１２を開放した状態で、基板ケース１０５の取外しを防止するシャッター機構２１０を備え、筐体１１は、上部材１１ａに貫通孔１４を有し、シャッター機構２１０は、筐体１１の外部に配置されるとともに、筐体１１の外側から貫通孔１４に抜き差し可能であり、差し込んだ状態で、基板ケース１０５の前面側を覆うシャッター２１１を有する。【選択図】図４
2008173253.tif 000002
【特許請求の範囲】
【請求項１】
左部材、右部材、上部材、下部材、及び背部材から構成され、前面側が開口する中空箱形の筐体と、
前記筐体の前面側に開閉自在に取り付けられ、前記筐体の開口面を覆う前面扉と、
前記筐体の内部に配置され、遊技の進行を制御する制御基板と、
前記制御基板を収容する基板ケースと
を備える遊技機の防犯装置であって、
前記前面扉を開放した状態で、前記基板ケースの取外しを防止する基板ケース取外し防止装置を備え、
前記筐体は、前記左部材、前記右部材、前記上部材、又は前記下部材の少なくとも１つに貫通孔を有し、
前記基板ケース取外し防止装置は、前記筐体の外部に配置されるとともに、前記筐体の外側から前記貫通孔に抜き差し可能であり、差し込んだ状態で、前記基板ケースの前面側を覆うシャッターを有する
ことを特徴とする遊技機の防犯装置。
【請求項２】
請求項１に記載の遊技機の防犯装置において、
複数の遊技機を収容し、横並びに設置するための設置島を備え、
前記基板ケース取外し防止装置は、前記設置島に配置されている
ことを特徴とする遊技機の防犯装置。
【請求項３】
請求項１又は請求項２に記載の遊技機の防犯装置において、
前記基板ケース取外し防止装置は、前記筐体の前記左部材、前記右部材、前記上部材、又は前記下部材の少なくとも１つに配置されている
ことを特徴とする遊技機の防犯装置。
【請求項４】
請求項１から請求項３までのいずれか１項に記載の遊技機の防犯装置において、
前記基板ケース取外し防止装置は、遠隔操作が可能である
ことを特徴とする遊技機の防犯装置。
【請求項５】
請求項１から請求項４までのいずれか１項に記載の遊技機の防犯装置において、
複数種類の図柄を外周面に表示した複数のリールによって構成される図柄変動表示装置を備え、
前記基板ケース取外し防止装置の前記シャッターは、前記筐体の外側から前記貫通孔に差し込んだ状態で、前記図柄変動表示装置と接触する
ことを特徴とする遊技機の防犯装置。
【発明の詳細な説明】
【技術分野】
【０００１】
本発明は、前面側が開口する中空箱形の筐体と、筐体の前面側に開閉自在に取り付けられ、筐体の開口面を覆う前面扉とを備える遊技機の防犯装置に係るものである。そして、詳しくは、前面扉が不正に開放され、筐体の内部に配置された制御基板に対する不正な行為を確実に防止できるようにすることで、防犯性の強化・向上を図った技術に関するものである。
【背景技術】
【０００２】
スロットマシンや弾球遊技機等の遊技機における出玉に関する制御は、メイン制御基板と呼ばれる制御基板によって行われている。そして、このような遊技機において、メイン制御基板の制御プログラムを改ざんしたり、メイン制御基板の入出力信号等に対して外部から不正な信号を付与等することにより、本来の遊技と異なる適正でない遊技を実行させるという不正行為が問題となっている。
【０００３】
ここで、遊技機は、前面側が開口する中空箱形の筐体と、筐体の前面側に開閉自在に取り付けられ、筐体の開口面を覆う前面扉とを備えている。そして、筐体は、左部材、右部材、上部材、下部材、及び背部材から構成されており、メイン制御基板は、一般的に、筐体の背部材に取り付けられている。
【０００４】
したがって、前面扉を開放するだけでメイン制御基板が露出するならば、メイン制御基板に対して不正な操作を行うことが簡単にできるようになり、例えば、メイン制御基板に実装されている遊技プログラムを記憶したＲＯＭ等の電子部品が正規品以外のものに交換された場合には、適正でない遊技が実行されてしまい、遊技店で大きな被害が出ることとなる。
【０００５】
このような事情から、遊技機は、前面扉の正面側から前面扉を筐体に施錠するための施錠装置を備えている。すなわち、通常は、この施錠装置によって前面扉を筐体に施錠しておき、前面扉が勝手に開放されないようにしている。そして、必要な場合には、遊技店が管理する鍵を用いて前面扉を開放している。
【０００６】
ところが、この施錠装置は、前面扉の正面側から施錠するために、前面扉に鍵穴が形成されているので、施錠装置の位置が一目瞭然であり、ドリル等の工具を用いて鍵穴から強制的に施錠装置が破壊されてしまえば、前面扉が不正に開放されてしまう。そのため、このような施錠装置だけでは、遊技機の防犯装置として不十分である。
【０００７】
そこで、前面扉が不正に開放された場合であっても、メイン制御基板のＲＯＭ等が勝手に交換されないように、メイン制御基板を基板ケース内に収容してかしめ、防犯の強化を行うようにした技術が知られている。すなわち、基板ケースを構成する背面ケースと正面ケースとを締結部材によって離脱不能に締結して不正開放防止手段とし、この基板ケース内にメイン制御基板を収容するようにした技術である（例えば、特許文献１参照）。
【特許文献１】特開２００４−２０９２３８号公報
【発明の開示】
【発明が解決しようとする課題】
【０００８】
しかし、上記の特許文献１の技術では、基板ケースが樹脂製であるために、正面ケースが破壊された場合や、正面ケースが背面ケースから取り外された場合には、メイン制御基板に対する不正を防止できない。そして、基板ケース（正面ケース）自体を強固なものとすることは、スペースの問題や、正当にメイン制御基板を取り出す等の場合を考えると、得策ではない。
【０００９】
したがって、本発明が解決しようとする課題は、制御基板を収容する基板ケース自体を変えることなく、基板ケースの不正な取外しを簡単かつ確実に防止できるようにして、遊技機に対する不正行為を効果的に予防できる防犯装置とすることである。
【課題を解決するための手段】
【００１０】
本発明は、以下の解決手段によって上述の課題を解決する。
請求項１の発明は、左部材、右部材、上部材、下部材、及び背部材から構成され、前面側が開口する中空箱形の筐体と、前記筐体の前面側に開閉自在に取り付けられ、前記筐体の開口面を覆う前面扉と、前記筐体の内部に配置され、遊技の進行を制御する制御基板と、前記制御基板を収容する基板ケースとを備える遊技機の防犯装置であって、前記前面扉を開放した状態で、前記基板ケースの取外しを防止する基板ケース取外し防止装置を備え、前記筐体は、前記左部材、前記右部材、前記上部材、又は前記下部材の少なくとも１つに貫通孔を有し、前記基板ケース取外し防止装置は、前記筐体の外部に配置されるとともに、前記筐体の外側から前記貫通孔に抜き差し可能であり、差し込んだ状態で、前記基板ケースの前面側を覆うシャッターを有することを特徴とする。
【００１１】
（作用）
請求項１の発明においては、前面扉を開放した状態で、基板ケースの取外しを防止する基板ケース取外し防止装置を備えている。そして、基板ケース取外し防止装置は、筐体の外部に配置されるとともに、筐体の外側から貫通孔に抜き差し可能であり、差し込んだ状態で、基板ケースの前面側を覆うシャッターを有している。そのため、基板ケースの前面側が基板ケース取外し防止装置のシャッターで覆われるので、基板ケースの不正な取外しや開放を簡単かつ確実に防止できる。
【００１２】
また、請求項２の発明は、請求項１に記載の遊技機の防犯装置において、複数の遊技機を収容し、横並びに設置するための設置島を備え、前記基板ケース取外し防止装置は、前記設置島に配置されていることを特徴とする。
さらにまた、請求項３の発明は、請求項１又は請求項２に記載の遊技機の防犯装置において、前記基板ケース取外し防止装置は、前記筐体の前記左部材、前記右部材、前記上部材、又は前記下部材の少なくとも１つに配置されていることを特徴とする。
【００１３】
（作用）
請求項２の発明においては、基板ケース取外し防止装置は、設置島に配置されている。また、請求項３の発明においては、基板ケース取外し防止装置は、筐体の左部材、右部材、上部材、又は下部材の少なくとも１つに配置されている。そのため、制御基板を収容する基板ケース自体を変えず、基板ケース取外し防止装置を配置することにより、基板ケースの不正な取外しを簡単かつ確実に防止できる。なお、基板ケース取外し防止装置は、設置島に配置（請求項２）することも、遊技機に１つ以上配置（請求項３）することも、その両方に配置（請求項３）することもできる。
【００１４】
そして、請求項４の発明は、請求項１から請求項３までのいずれか１項に記載の遊技機の防犯装置において、前記基板ケース取外し防止装置は、遠隔操作が可能であることを特徴とする。
【００１５】
（作用）
請求項４の発明においては、基板ケース取外し防止装置は、遠隔操作が可能となっている。そのため、設置島に収容された複数の遊技機の各基板ケース取外し防止装置や、遊技機の筐体（左部材、右部材、上部材、又は下部材）に配置された１つ以上の基板ケース取外し防止装置を遠隔操作で簡単に作動させることができる。
【００１６】
また、請求項５の発明は、請求項１から請求項４までのいずれか１項に記載の遊技機の防犯装置において、複数種類の図柄を外周面に表示した複数のリールによって構成される図柄変動表示装置を備え、前記基板ケース取外し防止装置の前記シャッターは、前記筐体の外側から前記貫通孔に差し込んだ状態で、前記図柄変動表示装置と接触することを特徴とする。
【００１７】
（作用）
請求項５の発明においては、基板ケース取外し防止装置のシャッターは、筐体の外側から貫通孔に差し込んだ状態で、図柄変動表示装置と接触する。そのため、シャッターにより、基板ケースの不正な取外しや開放を防止できるだけでなく、図柄変動表示装置の振動等を抑制できる。
【発明の効果】
【００１８】
本発明は、基板ケースの前面側を覆うシャッターを有する基板ケース取外し防止装置を追加するだけなので、制御基板を収容する基板ケース自体を変える必要がない。そして、筐体の外側から抜き差しされるシャッターにより、基板ケースの不正な取外しや開放を簡単かつ確実に防止でき、遊技機に対する不正行為を効果的に予防できる。
【発明を実施するための最良の形態】
【００１９】
以下、図面等を参照して、本発明の一実施形態について説明する。
なお、以下の実施形態では、本発明の防犯装置を備える遊技機として、複数種類の図柄を外周面に表示した複数のリール３１によって構成される図柄変動表示装置３０を備えたスロットマシン１０を例に挙げて説明する。
【００２０】
図１は、本発明の防犯装置を備える遊技機に相当するスロットマシン１０を示す前面側の正面図である。
また、図２は、図１中、スロットマシン１０の前面扉１２を開放し、筐体１１の内部が見えるように図示した正面図である。
図１及び図２に示すように、スロットマシン１０は、筐体１１と、筐体１１の前面側に取り付けられた開閉自在の前面扉１２とから構成されている。
【００２１】
ここで、前面扉１２は、筐体１１の開口面を覆うようにして、筐体１１に開閉自在に取り付けられたものである。そして、図１に示すように、前面扉１２の遊技者側の下方部には、ベットスイッチ４０、スタートスイッチ４１、ストップスイッチ４２、メダル投入口４３、メダル受け皿４４、及びドアキー４５が配置されており、ドアキー４５によって前面扉１２の正面側から前面扉１２を筐体１１に施錠できる。
【００２２】
また、前面扉１２の中央部には、透明窓１３が設けられており、透明窓１３から、筐体１１の内部に設置された図柄変動表示装置３０の各リール３１が透視できるようになっている。この各リール３１は、外周面に、複数の図柄（役を構成する図柄）を印刷したリールテープ（図示せず）がそれぞれ貼り付けられたものであり、リールテープによって２１個の図柄が表示されている。そのため、前面扉１２の透明窓１３からは、個々のリール３１において上下に連続する３つの図柄が見える。すなわち、透明窓１３からは、各リール３１の合計９個の図柄が透視でき、各リール３１の停止時における図柄の組合せラインとなる有効ラインは、水平方向上段、中段、及び下段と、右下がり及び右上がりの斜め方向の各ライン（図１中、２点鎖線部）の合計５本となっている。なお、各リール３１の内周内側には、バックランプ２１ａが取り付けられている。
【００２３】
さらにまた、遊技中における各種の演出が実行できるように、前面扉１２の上方部には、上部ランプ２１ｂと、２つのスピーカ２２と、液晶表示器からなる画像表示装置２３とが配置され、左右両端部には、サイドランプ２１ｃが配置されている。なお、画像表示装置２３に表示される演出画像等は、透明な表示窓２５を通して見ることができる。
【００２４】
一方、筐体１１は、左部材、右部材、上部材、下部材、及び背部材となる木材等を組み立てて、前面側が開口する中空箱形に構成したものである。そして、筐体１１の内部であって、その下方部（下部材の上）には、図２に示すように、電源ユニット１０１と、ホッパータンクに貯留されたメダルを払い出すメダル払出し装置１０２とが設けられている。また、メダル払出し装置１０２の上方部にリールベース１０３が設けられており、このリールベース１０３上に、複数種類の図柄を外周面に表示したリング状のリール３１が３つ並設して固定され、図柄変動表示装置３０を構成している。そして、図柄変動表示装置３０における各リール３１の回転中心部には、ステッピングモータからなるリール駆動モータ（図示せず）がそれぞれ連結されており、リール駆動モータの駆動制御によって各リール３１が個別に回転するようになっている。
【００２５】
また、図柄変動表示装置３０の上方部には、透明な基板ケース１０５内に収容されたメイン制御基板１０４が配置されている。このメイン制御基板１０４は、遊技の進行等の全体を統括制御する制御基板であり、図示はしないが、演算等を行うＣＰＵ、遊技プログラムを記憶したＲＯＭ、遊技用等のデータを一時的に記憶するＲＡＭ等を備えたものである。なお、メイン制御基板１０４は、不正を防止するため、基板ケース１０５内に収容された後にかしめされ、封印されている。
【００２６】
さらにまた、前面扉１２の後面側（裏面側）の上方部には、サブ制御基板１０６が設けられている。このサブ制御基板１０６は、遊技中における演出を制御する基板であって、図１に示すバックランプ２１ａ、上部ランプ２１ｂ、及びサイドランプ２１ｃの点灯又は点滅、２つのスピーカ２２からのサウンドの出力、画像表示装置２３による画像表示等の各種の制御を行うものであり、図示はしないが、演算等を行うＣＰＵ、演出プログラム及び演出用のデータを記憶したＲＯＭ、各種のデータを一時的に記憶するＲＡＭ等を備えている。なお、サブ制御基板１０６は、メイン制御基板１０４の下位に属する基板であり、メイン制御基板１０４とは、図示しないハーネス（電気配線の束）によって電気的に接続されている。そして、メイン制御基板１０４からサブ制御基板１０６に対して演出実行指令等が送信されるようになっている。
【００２７】
このように、スロットマシン１０は、メイン制御基板１０４及びサブ制御基板１０６を備えており、メイン制御基板１０４上に実装されたＣＰＵ、ＲＯＭ、及びＲＡＭ等によってメイン制御手段が構成され、サブ制御基板１０６上に実装されたＣＰＵ、ＲＯＭ、及びＲＡＭ等によってサブ制御手段が構成される。そして、ベットスイッチ４０、スタートスイッチ４１、及び各ストップスイッチ４２は、メイン制御手段の入力側に接続され、メイン制御手段によって役の抽選、各リール３１の駆動制御、入賞時の払出し等といった遊技の進行が制御される。また、サブ制御手段によってバックランプ２１ａ、上部ランプ２１ｂ、サイドランプ２１ｃ、各スピーカ２２、及び画像表示装置２３による演出の出力が制御される。
【００２８】
ここで、ベットスイッチ４０は、メダル投入口４３からのメダルの投入と同様に、遊技者が貯留メダルを投入するときに操作するスイッチである。また、スタートスイッチ４１は、図柄変動表示装置３０の各リール３１を始動させるときに遊技者が操作するスイッチである。さらにまた、ストップスイッチ４２は、３つのリール３１に対応して３つ設けられ、対応する各リール３１を個別に停止させるときに遊技者が操作するスイッチである。
【００２９】
そして、遊技者がメダル投入口４３からメダルを投入するか、又はベットスイッチ４０を操作することによって貯留メダルを投入すれば、有効ラインが有効化される。次に、遊技者がスタートスイッチ４１を操作すると、そのときに発生する信号がメイン制御手段に入力され、メイン制御手段は、この信号に基づいて、メイン制御手段の出力側に接続されたリール駆動モータを駆動し、全てのリール３１が回転するように制御する。すると、各リール３１が回転し、透明窓１３内において、各リール３１の図柄が所定の速度で上下方向に移動表示されることとなる。
【００３０】
また、メイン制御手段は、スタートスイッチ４１が操作されたときに、役の抽選を行い、役の抽選結果の情報をサブ制御手段に送信する。サブ制御手段は、この信号を受信し、役の抽選結果の情報に基づいて、当選役に対応する演出を出力し、サブ制御手段の出力側に接続されたバックランプ２１ａ、上部ランプ２１ｂ、及びサイドランプ２１ｃの点灯又は点滅、各スピーカ２２からのサウンドの出力、画像表示装置２３による画像表示等を行う。
【００３１】
ここで、バックランプ２１ａは、その前方側に位置するリール３１の図柄を透明窓１３から透視できるようにするためのものであり、上部ランプ２１ｂ及びサイドランプ２１ｃは、スロットマシン１０の演出用のランプであって、役の入賞時等の所定の条件を満たしたときに、所定のパターンで点灯する。また、各スピーカ２２は、遊技中に各種の演出を行うべく、所定の条件を満たしたときに、所定のサウンドを出力する。さらにまた、画像表示装置２３は、各種の図柄を画像表示して、遊技中に、図柄による様々な演出を表示する。
【００３２】
そして、遊技者によってストップスイッチ４２が操作されると、そのときに発生する信号がメイン制御手段に入力され、メイン制御手段は、リール駆動モータを駆動して、操作されたストップスイッチ４２に対応するリール３１を停止させるように制御する。また、メイン制御手段は、ストップスイッチ４２が操作された旨の信号を受信すると、その旨の信号をサブ制御手段に送信する。サブ制御手段は、この受信した信号に基づいて、役の当選の可能性を告知等する演出の出力を制御する。そして、全てのリール３１の停止時に、各リール３１における有効ライン上の図柄の組合せが予め定められた何らかの役の図柄の組合せと一致し、その役の入賞となったときは、その役に対応する枚数のメダルがクレジットに加算されるか、又はメダル払出し装置１０２によってメダルが払い出される。
【００３３】
したがって、スロットマシン１０は、メイン制御基板１０４上に実装されたＣＰＵ、ＲＯＭ、及びＲＡＭ等によってメイン制御手段が構成され、各リール３１の回転等の制御、役の抽選、メダルの払出し等、遊技の進行の全体が統括制御される。また、サブ制御基板１０６上に実装されたＣＰＵ、ＲＯＭ、及びＲＡＭ等によってサブ制御手段が構成され、遊技中における演出が制御される。そして、演出の内容によって役の抽選結果（当選か非当選か）等が報知される。
【００３４】
このように、メイン制御手段によって役の抽選や入賞時の払出しが行われることから、メイン制御基板１０４上に実装された遊技プログラムを記憶したＲＯＭ等の電子部品が正規品以外のものに交換されないように、メイン制御基板１０４は、厳重に管理される必要がある。そのため、上述したように、基板ケース１０５（メイン制御基板１０４）は、前面側が開口する中空箱形の筐体１１の背部材に配置され、筐体１１の開口面は、開閉自在の前面扉１２によって覆われ、前面扉１２は、ドアキー４５によって筐体１１に施錠される。さらに、メイン制御基板１０４は、基板ケース１０５内に収容された後にかしめされ、封印されている。
【００３５】
しかしながら、遊技店の営業時間外に、ドリル等の工具を用いてドアキー４５が強制的に破壊され、さらに、前面扉１２を開けて基板ケース１０５も強制的に破壊されることが懸念される。そして、このような不正行為は、遊技店の営業時間内に行われることもあるため、営業時間の内外にかかわらず、制御基板に対する不正を防止する必要がある。
そこで、本実施形態のスロットマシン１０は、前面扉１２を開放した状態で、基板ケース１０５の取外しを防止するシャッター機構２１０（本発明における基板ケース取外し防止装置に相当するもの）を備えている。
【００３６】
図３は、設置島２００に収容された状態のスロットマシン１０を示す正面図である。
図３に示す実施例では、４台のスロットマシン１０が設置島２００に収容され、横並びに設置されている。そして、各スロットマシン１０には、それぞれシャッター機構２１０が備えられている。
【００３７】
ここで、各シャッター機構２１０は、スロットマシン１０に向けて上下動するシャッター２１１を有しており、図３に示すように、シャッター２１１がスロットマシン１０内に差し込まれた位置で基板ケース１０５（図２参照）の前面側を覆う。すなわち、シャッター機構２１０を作動させ、シャッター２１１を下降させると、基板ケース１０５の前面側がシャッター２１１によって覆われ、前面扉１２が開放された状態であっても、基板ケース１０５の取外しができなくなる。
【００３８】
このシャッター２１１は、例えば、ステンレス鋼等の剛性の高い材料から形成されたものであり、シャッター２１１の作動機構は、電磁力によって駆動されるソレノイドとなっている。すなわち、シャッター機構２１０の内部には、コイルが配置されている。そして、コイル内に可動鉄心が設置されており、可動鉄心にシャッター２１１が連結されている。そのため、小型のシャッター機構２１０とすることができ、シャッター機構２１０内のコイルに電流を通せば、シャッター２１１が直進運動（図３に示す配置の場合には、上下運動）する。なお、ソレノイドにおけるコイルと可動鉄心との関係は、プッシュ形、プル形、プッシュプル形のいずれであっても良い。
【００３９】
そして、各シャッター機構２１０は、４つのスロットマシン１０の上方部（図１に示す筐体１１の外部）であって、設置島２００の化粧板２０１内にそれぞれ配置されている。そのため、各スロットマシン１０の正面側（遊技者側）からは、シャッター２１１の位置（ロック状態か否か）どころか、各シャッター機構２１０の存在自体が見えず、遊技者から隠れている。その結果、遊技店としては、遊技者に知られずに、シャッター機構２１０を設けることが可能となり、営業時間の内外を問わず、前面扉１２が不正に開放されたとしても、メイン制御基板１０４（図２参照）におけるＲＯＭ等の電子部品の不正な交換を予防できるようになる。
【００４０】
また、各シャッター機構２１０は、遠隔操作で作動させることができるようになっている。すなわち、化粧板２０１を開けることなく、設置島２００の外部から操作して、必要に応じてシャッター２１１を抜き差しできる。このような遠隔操作は、例えば、設置島２００や事務室に設置したホールコンピュータ（図示せず）により、特定の人間の生体認証（静脈認証、指紋認証等）がなければシャッター機構２１０が作動しないようにしたり、ＩＤ（identification）情報を埋め込んだタグから、電磁界や電波等を用いた近距離の無線通信によって情報をやり取りして操作者を識別するＲＦＩＤ（Radio frequency identification）の技術等を利用できる。
【００４１】
さらにまた、各シャッター機構２１０の状態は、ホールコンピュータ（図示せず）等によって確認できる。すなわち、４つのシャッター機構２１０のそれぞれについて、シャッター２１１の位置情報（差し込み状態か抜き出し状態か）を示す信号がホールコンピュータ等に送信されるようになっており、この信号を受信したホールコンピュータ等には、各シャッター機構２１０の状態（図２に示す基板ケース１０５の前面側が覆われているか否か）が表示される。そのため、遊技店は、各スロットマシン１０を一括して監視できる。
【００４２】
さらに、各シャッター機構２１０には、警報機能を付加することができる。例えば、外部からの無線通信によってシャッター機構２１０を遠隔操作し、シャッター機構２１０の状態（図２に示す基板ケース１０５の前面側が覆われているか否か）を外部から確認する場合には、シャッター機構２１０に無線の送受信装置が取り付けられることとなる。そこで、各シャッター機構２１０に何らかの不正（シャッター２１１の強制的な開放等）が行われた際に、ホールコンピュータ等に警報信号を送信するようにしておけば良い。
【００４３】
このように、図３に示す各スロットマシン１０は、設置島２００に配置された各シャッター機構２１０が防犯装置となっている。すなわち、スロットマシン１０にシャッター機構２１０を直接搭載することなく、基板ケース１０５（図２参照）の前面側を覆ってメイン制御基板１０４（図２参照）を保護することができるので、設置島２００に収容されたスロットマシン１０の防犯性を簡単に強化できる。
【００４４】
図４は、シャッター機構２１０とスロットマシン１０との関係を示す斜視図である。
また、図５は、シャッター機構２１０とスロットマシン１０の基板ケース１０５との関係を示す正面図である。
図４に示すように、スロットマシン１０は、前面側が開口する中空箱形の筐体１１と、筐体１１の前面側に開閉自在に取り付けられ、筐体１１の開口面を覆う前面扉１２とを備えている。そして、前面扉１２には、前面扉１２の正面側から前面扉１２を筐体１１に施錠するためのドアキー４５を備えている。
【００４５】
ここで、スロットマシン１０は、筐体１１の上部材１１ａに貫通孔１４が形成されている。また、筐体１１の外側から貫通孔１４に抜き差し可能なシャッター２１１を有するシャッター機構２１０がスロットマシン１０の上方部に配置されている。そのため、シャッター機構２１０を作動させ、シャッター２１１を下降させれば、シャッター２１１が貫通孔１４に差し込まれる。なお、この貫通孔１４は、筐体１１内の熱を逃がす通気孔を兼ねている。
【００４６】
そして、貫通孔１４に差し込まれたシャッター２１１は、メイン制御基板１０４を収容した基板ケース１０５の前面側を覆うようになる。すなわち、シャッター機構２１０は、図５（ａ）に示すように、筐体１１の外部に配置されているが、シャッター機構２１０を作動させれば、シャッター２１１が下降する。すると、シャッター２１１が貫通孔１４に差し込まれ、図５（ｂ）に示すように、基板ケース１０５の前面側を覆う。そのため、図４に示すドアキー４５が破壊され、前面扉１２が不正に開放されたとしても、基板ケース１０５（メイン制御基板１０４）は、シャッター２１１によって保護される。
【００４７】
また、図５（ｂ）に示すように、シャッター２１１の下端部は、貫通孔１４に差し込まれた状態で、図柄変動表示装置３０の上端部（各リール３１の支持枠の上端部）と接触する。そのため、シャッター２１１によって図柄変動表示装置３０が上から押さえ付けられた状態となる。その結果、各リール３１の回転によって筐体１１内で図柄変動表示装置３０に振動が発生したとしても、その振動を効果的に抑制できる。
【００４８】
ここで、シャッター２１１は、貫通孔１４に差し込まれた状態で、シャッター２１１の下端部と図柄変動表示装置３０の上端部（各リール３１の支持枠の上端部）とが係合するようにしても良い。このようにすれば、貫通孔１４に差し込まれたシャッター２１１は、メイン制御基板１０４を収容した基板ケース１０５の前面側を覆った状態で、容易に上昇できなくなるので、防犯性をより一層強化できる。
【００４９】
図６は、シャッター２１１と図柄変動表示装置３０との係合装置（図柄変動表示装置３０側の係合ブロック５０、シャッター２１１側の係合ブロック６０、及びストッパー部材７０）を示す斜視図である。
また、図７は、図６中、図柄変動表示装置３０側の係合ブロック５０を示す斜視図であり、図８は、図６中、シャッター２１１側の係合ブロック６０を上下の２方向から示す斜視図である。
さらにまた、図９は、図６中、ストッパー部材７０を上下の２方向から示す斜視図である。
【００５０】
シャッター２１１と図柄変動表示装置３０との係合装置は、図６に示すように、ねじ穴５１ａを有する取付け片５１に一体に形成された４つの係合部５２を有する図柄変動表示装置３０側の係合ブロック５０と、ねじ穴６１ａを有する取付け片６１に連結部６３を介して連結された４つの係合部６２を有するシャッター２１１側の係合ブロック６０と、フランジ部６２ｄを有する係合部６２に挿入され、図柄変動表示装置３０側の係合ブロック５０とシャッター２１１側の係合ブロック６０とを結合して保持する４つのストッパー部材７０とを有している。
【００５１】
そして、係合ブロック５０の取付け片５１と係合ブロック６０の取付け片６１とをそれぞれ図柄変動表示装置３０及びシャッター２１１の所定部位に取り付けておき、シャッター２１１を図柄変動表示装置３０側に下降させると、図柄変動表示装置３０側の係合部５２にシャッター２１１側の係合部６２が嵌り込み、係合部６２に挿入されているストッパー部材７０の作用によって係合部５２と係合部６２とが一体に結合される。
【００５２】
また、ニッパー等の切断具によって係合部６２の連結部６３を切り離すことで、図柄変動表示装置３０側の係合部５２とシャッター２１１側の係合部６２との結合を解除できるようになっている。逆に言えば、連結部６３を切り離さない限り、図柄変動表示装置３０側の係合部５２とシャッター２１１側の係合部６２との結合が解除されない。そのため、図２に示すように、筐体１１の内部に上述したメイン制御基板１０４を取り付けた状態のスロットマシン１０の前面扉１２を開放し、メイン制御基板１０４を交換した場合には、連結部６３が切り離されたことが痕跡として残る。したがって、メイン制御基板１０４が不正に交換された場合は、そのことを容易に確認できる。
【００５３】
なお、ここでは、係合部５２、係合部６２、及びストッパー部材７０をそれぞれ４つとしているが、これに限られず、いくつあっても良い。すなわち、例えば１つの係合部５２と係合部６２とがストッパー部材７０によって結合されていて、その結合を解除するときは、係合部６２の連結部６３を切り離すが、係合部５２、係合部６２、及びストッパー部材７０がそれぞれ４つあれば、係合部５２と係合部６２との係合及び解除を４回行うことができるようになる。
【００５４】
また、図６に示すように、図柄変動表示装置３０側に係合部５２を有する係合ブロック５０を取り付け、シャッター２１１側に係合部６２を有する係合ブロック６０を取り付けるのではなく、逆に、図柄変動表示装置３０側に係合部６２を有する係合ブロック６０を取り付け、シャッター２１１側に係合部５２を有する係合ブロック５０を取り付けるようにしても良いことは勿論である。
【００５５】
次に、図柄変動表示装置３０側の係合ブロック５０について詳述すると、係合部５２には、図７に示すように、シャッター２１１（図示せず）が図柄変動表示装置３０側に下降したときにシャッター２１１側の係合部６２（図６参照）に覆われる係合底部５２ａと、この係合底部５２ａの上下方向縁部及び左方向縁部から図７の右方に延び、係合部６２の開口部の周りを外側から覆う係合壁部５２ｂとが設けられている。そして、係合底部５２ａの略中央部には、凹状の第１係合凹部５２ｃと凹状の第１爪待避凹部５２ｆとが図７の左右方向に並んで形成されている。
【００５６】
また、第１係合凹部５２ｃ及び第１爪待避凹部５２ｆを挟むように、２つの第２係合凹部５２ｄ及び第２爪待避凹部５２ｈがそれぞれ図７の左右方向に伸びて形成されている。さらにまた、係合壁部５２ｂの右方先端部には、図７の右方に開口し、シャッター２１１側の係合部６２（図６参照）を押さえる係合保持部５２ｅが形成されている。なお、図７中の符号５２ｋ及び５２ｍは、それぞれ傾斜面を示しており、図７中の符号５２ｇは、図柄変動表示装置３０側の番号表示部を示している。この番号表示部５２ｇは、何番目の係合部５２がシャッター２１１側の係合部６２と係合できる状態（ロック状態）にあるかを確認するためのものである。
【００５７】
一方、シャッター２１１側の係合ブロック６０における係合部６２は、図８に拡大して示すように、図柄変動表示装置３０側の係合部５２の係合底部５２ａ（図７参照）に対向する側が開口し、内部がストッパー挿入空間６２ａとされた矩形箱状のものである。そして、係合部６２を取付け片６１に連結している連結部６３は、それぞれの係合部６２に２個設けられた構成となっており、これら２個の連結部６３は、切断可能となっている。
【００５８】
また、係合部６２の側面には、外方に突出して係合保持部５２ｅ（図７参照）と嵌合する係合突起部６２ｂが図８の左右方向に伸びて形成されており、この係合突起部６２ｂの一端には、折曲して伸びるカバー部６２ｅが形成されている。さらにまた、係合部６２の側面には、外方にフランジ状に突出する薄い板状のフランジ部６２ｄも形成されている。なお、図８中の符号６２ｃは、シャッター２１１側の番号表示部である。この番号表示部６２ｃは、何番目の係合部６２が図柄変動表示装置３０側の係合部５２と係合できる状態（ロック状態）にあるかを確認するためのものである。
【００５９】
さらに、ストッパー部材７０は、樹脂等で矩形箱状に形成されており、図９に拡大して示すように、外側部材８０と内側部材９０とが組み合わされて構成されている。この外側部材８０は、一方の面が開口した箱状に形成され、この開口部と対向する底面８１（第１面）には、第１係合爪部８３が形成されている。そして、第１係合爪部８３は、底面８１から外方に突出するように形成されており、第１係合爪部８３を挟むように、底面８１を貫通する切込み部８２が形成されている。
【００６０】
ここで、第１係合爪部８３は、切込み部８２に沿って、底面８１から外側になだらかに傾斜する傾斜面８３ａを有し、先端側は、底面８１に対して略垂直な係合面８３ｂとなっている。また、この底面８１には、第１係合爪部８３を挟むように外方に突出し、第１係合爪部８３と同様の形状を有した第２係合爪部８４が形成されている。なお、第２係合爪部８４の幅方向の大きさは、第１係合爪部８３の幅方向の大きさより小さく形成されている。
【００６１】
このような外側部材８０に組み合わされる内側部材９０は、一方の面が開口した箱状に形成されており、側面９１には、外方に突出する係止突起部９２が形成されている。そして、外側部材８０の開口部に対し、開口部側から内側部材９０を挿入して組み立てると、第１係合爪部８３、２つの第２係合爪部８４、及び係止突起部９２が外方に突出する。また、内側部材９０の面９３（第２面）には、例えば「ロック」等の文字が刻設されており、この面９３を上側に向けるようにして、図８に示す係合部６２のストッパー挿入空間６２ａにストッパー部材７０を装着すると、係合部５２（図７参照）と係合部６２とが係合できる状態（ロック状態）になる。なお、この場合、内側部材９０の面９３の「ロック」等の文字が透明な係合部６２を通して確認できる。
【００６２】
図１０は、図６に示す係合装置におけるロック状態を示す要部の断面図である。
また、図１１は、図６に示す係合装置におけるアンロック状態を示す要部の断面図である。
図１０及び図１１に示すように、係合装置は、ストッパー部材７０の上下方向の向きを変えることにより、ロック状態とするかアンロック状態とするかを選択できる。
【００６３】
図６に示す係合装置により、シャッター２１１側の係合ブロック５０を図柄変動表示装置３０側の係合ブロック５０に結合させるには、４つ設けられている係合部５２及び係合部６２のいずれか１つが図１０に示すロック状態となるようにすれば良い。
【００６４】
ここで、いずれかの係合部５２と係合部６２とをロック状態にするためには、図１０に示すように、第１係合爪部８３及び第２係合爪部８４（図９参照）を下側に向けるようにして、ストッパー部材７０をストッパー挿入空間６２ａに装着する。このとき、第１係合爪部８３の傾斜面８３ａ及び第２係合爪部８４の傾斜面が係合部５２側に向けられるようにしておく。
【００６５】
一方、ロック状態としない残りの係合部６２にあっては、図１１に示すように、第１係合爪部８３及び第２係合爪部８４（図９参照）を上側に向けるようにして、ストッパー部材７０をストッパー挿入空間６２ａに装着しておく。
【００６６】
なお、ストッパー部材７０がストッパー挿入空間６２ａ内に挿入されると、ストッパー部材７０の係止突起部９２がストッパー挿入空間６２ａを形成する内側の壁に押し付けられて弾性的に付勢されるため、係合部６２の開口部が下方に向けられても、ストッパー部材７０が脱落することはない。
【００６７】
このような状態で、図５に示すように、シャッター２１１を図柄変動表示装置３０側に下降させると、係合部５２と係合部６２との各々が嵌め合わされる。このとき、図１０に示すように、ストッパー部材７０がロック状態側にあれば、まず、ストッパー部材７０の第１係合爪部８３が第１爪待避凹部５２ｆに位置するとともに、第２係合爪部８４（図９参照）が第２爪待避凹部５２ｈ（図７参照）に位置するようになる。そして、その後、第１係合爪部８３の傾斜面８３ａが第１爪待避凹部５２ｆの左端側に形成された傾斜面５２ｋによって上方に押し上げられながら図１０の左方に移動する。同様に、第２係合爪部８４も第２爪待避凹部５２ｈの左端側に形成された傾斜面５２ｍ（図７参照）によって押し上げられながら左方に移動する。
【００６８】
ここで、第１係合爪部８３及び第２係合爪部８４（図９参照）が押し上げられる前に、係合部６２に形成されている係合突起部６２ｂ（図８参照）がその先端部から係合部５２の係合保持部５２ｅ（図７参照）に挿入されるため、第１係合爪部８３及び第２係合爪部８４が押し上げられても、係合保持部５２ｅ及び係合突起部６２ｂによって係合部６２の上方への移動が規制され、係合部６２が一緒に押し上げられることはない。
【００６９】
そして、図柄変動表示装置３０側の係合部５２とシャッター２１１側の係合部６２とが重なった位置になると、第１係合爪部８３と第１係合凹部５２ｃとの位置が一致するとともに、各第２係合爪部８４（図９参照）と各第２係合凹部５２ｄ（図７参照）との位置が一致する。そのため、押し上げられていた第１係合爪部８３及び第２係合爪部８４がその弾性によって第１係合凹部５２ｃ及び第２係合凹部５２ｄに入り込む。
【００７０】
これにより、図１０に示すように、第１係合凹部５２ｃと第１係合爪部８３、各第２係合凹部５２ｄ（図７参照）と各第２係合爪部８４（図９参照）とが係合し、さらに、係合突起部６２ｂ（図８参照）と係合保持部５２ｅ（図７参照）とが嵌合して、図柄変動表示装置３０側の係合部５２とシャッター２１１側の係合部６２とがロック状態となる。なお、ストッパー部材７０の内側部材９０の面９３（図９参照）に刻設された「ロック」等の文字を確認すれば、このロック状態を認識できる。
【００７１】
図１０に示すロック状態では、図柄変動表示装置３０を開放しようとしても、第１係合爪部８３の係合面８３ｂが第１係合凹部５２ｃと係合しており（第２係合爪部８４（図９参照）も同様）、その係合面８３ｂは、第１係合凹部５２ｃの壁に沿って延びているため（第２係合爪部８４も同様）、第１係合爪部８３及び第２係合爪部８４が上方に押し上げられることはない。また、係合突起部６２ｂ（図８参照）と係合保持部５２ｅ（図７参照）とが嵌合されているため、図柄変動表示装置３０側の係合部５２をシャッター２１１側の係合部６２から引き離すことができず、第１係合凹部５２ｃ及び第２係合凹部５２ｄから第１係合爪部８３及び第２係合爪部８４が外れることはない。そのため、図柄変動表示装置３０側の係合部５２とシャッター２１１側の係合部６２とが固定され、シャッター２１１が図柄変動表示装置３０に結合される。
【００７２】
一方、図１１に示すように、第１係合爪部８３及び第２係合爪部８４（図９参照）を上側に向けるようにして、ストッパー部材７０を係合部６２のストッパー挿入空間６２ａに装着しておくと、第１係合爪部８３及び第２係合爪部８４による上述した係合が生じないため、ロック状態とならない。
【００７３】
そして、図柄変動表示装置３０側の係合部５２とシャッター２１１側の係合部６２との間に、係合を可能とする第１面（図９に示す底面８１）と、係合を可能としない第２面（図９に示す面９３）とを有するストッパー部材７０を介在させているので、ストッパー部材７０の第１面又は第２面の向きを変えることで、図柄変動表示装置３０側の係合部５２とシャッター２１１側の係合部６２とのロック状態又はアンロック状態のいずれかを選択できる。
【００７４】
具体的には、図柄変動表示装置３０側の係合部５２に、少なくとも凹状に形成された係合凹部としての第１係合凹部５２ｃを設けるとともに、シャッター２１１側の係合部６２に、少なくともストッパー部材７０を挿入する挿入部としてのストッパー挿入空間６２ａを設け、ストッパー部材７０の第１面である底面８１（図９参照）には、少なくとも外方に突出し第１係合凹部５２ｃに係合される係合爪部としての第１係合爪部８３を設けるようにしたので、図１０に示すように、ストッパー部材７０の底面８１が第１係合凹部５２ｃに対向するようにストッパー部材７０をストッパー挿入空間６２ａに挿入することにより、図柄変動表示装置３０側の係合部５２とシャッター２１１側の係合部６２とを結合させることができる。
【００７５】
そして、ストッパー部材７０の第２面である面９３（図９参照）には、例えば「ロック」等の文字が刻設されており、この面９３が上側に向けられることになるため、その「ロック」等の文字を透明な係合部６２を通して確認することで、図柄変動表示装置３０側の係合部５２とシャッター２１１側の係合部６２とが結合されていることを認識できるようになる。
【００７６】
一方、ストッパー部材７０の第２面である面９３（図９参照）には、第１係合凹部５２ｃに係合される第１係合爪部８３が設けられていないため、図１１に示すように、ストッパー部材７０の面９３が第１係合凹部５２ｃに対向するようにストッパー部材７０をストッパー挿入空間６２ａに挿入することにより、図柄変動表示装置３０側の係合部５２とシャッター２１１側の係合部６２とが結合されないようにすることができる。
【００７７】
また、図６に示すように、図柄変動表示装置３０側の係合部５２とシャッター２１１側の係合部６２とをそれぞれ４つずつとした係合ブロック５０及び係合ブロック６０となっているので、係合部５２と係合部６２との結合及び解除は、４回行うことができる。すなわち、一対の係合部５２と係合部６２とがストッパー部材７０によって結合されていて、その結合を解除するときは、図１０に示す係合部６２の連結部６３を切り離すが、再度、ストッパー部材７０による結合が必要となる場合には、連結部６３が切り離されていない係合部６２と、この係合部６２に対応する係合部５２とを用いれば良い。
【００７８】
なお、図９に示すストッパー部材７０において、外側部材８０及び内側部材９０は、それぞれ異なる色の樹脂で形成しても良い（例えば、外側部材８０を白色とし、内側部材９０を赤色とする等）。このようにすれば、係合部６２（図８参照）が透明の樹脂で成形されているため、ストッパー部材７０の挿入状態がロック状態（内側部材９０が上側にあって赤色が係合部６２を通して見える状態）であるか、上方を向いたアンロック状態（外側部材８０が上側にあって白色が係合部６２を通して見える状態）であるかを容易に識別できるようになる。
【００７９】
また、図柄変動表示装置３０側の係合部５２に番号表示部５２ｇ（図７参照）を設けるとともに、シャッター２１１側の係合部６２に番号表示部６２ｃ（図８参照）を設けているので、４つの係合部５２及び係合部６２のうち、何番目を使用しているか（若しくは、何番目のものが切断されているか）を目視により確認することができる。
【００８０】
このように、本実施形態のスロットマシン１０は、シャッター機構２１０のシャッター２１１によって基板ケース１０５（メイン制御基板１０４）の前面側が覆われる。そして、このシャッター機構２１０は、比較的小型のものであり、筐体１１の外部の設置島２００（図３参照）に配置されている。そのため、スロットマシン１０に対する最低限の変更（貫通孔１４の形成）だけで、スロットマシン１０の余計なコストアップなしに、簡単に防犯性を向上できる。また、遊技店は、防犯性を強化するか否か（シャッター機構２１０を設置するか否か）を自由に選択でき、シャッター機構２１０を作動させる認証装置等も店舗ごとに自由に選ぶことができる。
【００８１】
しかも、シャッター２１１は、貫通孔１４に差し込まれた状態で、シャッター２１１の下端部と図柄変動表示装置３０の上端部（各リール３１の支持枠の上端部）とが図６に示す係合装置（図柄変動表示装置３０側の係合ブロック５０、シャッター２１１側の係合ブロック６０、及びストッパー部材７０）によって結合する。そのため、結合を解除しない限りシャッター２１１が上昇できなくなるので、防犯性がより一層強化される。
【００８２】
図１２は、シャッター機構２１０が直接取り付けられたスロットマシン１０’を示す斜視図である。
図１２に示すスロットマシン１０’では、シャッター機構２１０が比較的小型であることから、シャッター機構２１０を設置島２００（図３参照）に配置せず、筐体１１の上部材１１ａに直接搭載したものである。
【００８３】
図１２に示すスロットマシン１０’のように、シャッター機構２１０を直接取り付けた場合には、スロットマシン１０’自体のコストアップにはなるが、シャッター機構２１０によってスロットマシン１０’の輸送時等にも基板ケース１０５（図５参照）の前面側を覆うことができるので、輸送中の防犯強化が可能となる。なお、図１２に示すスロットマシン１０’であっても、設置島２００（図３参照）に収容された後は、シャッター機構２１０が化粧板２０１（図３参照）によって隠れ、スロットマシン１０’の正面側（遊技者側）から見えなくなる。
【００８４】
以上、本発明の実施形態について説明したが、本発明は、上述した実施形態に限定されることなく、例えば、以下のような種々の変形が可能である。
（１）本実施形態では、筐体１１の上部材１１ａ側に１つのシャッター機構２１０を配置しているが、これに限らず、筐体１１の左部材、右部材、又は下部材の少なくとも１つにシャッター機構２１０を配置しても良い。なお、この場合、貫通孔１４は、シャッター機構２１０の位置及び数に合わせて形成する。
【００８５】
（２）本実施形態では、シャッター機構２１０のシャッター２１１を駆動するアクチュエータとして、ソレノイドを使用しているが、シャッター２１１の作動機構は、これに限られない。例えば、モータを駆動源として、モータの回転運動をラック＆ピニオン、ウォームギヤ、ベベルギヤ等によって直進運動に変換し、アクチュエータとしても良い。
【００８６】
（３）本実施形態では、本発明の防犯装置を備える遊技機として、スロットマシン１０を例に挙げたが、本発明の防犯装置は、スロットマシン１０に限らず、前面側が開口する筐体１１と、筐体１１の開口面を覆う前面扉１２とを備える遊技機であれば、じゃん球等の弾球遊技機にも広く適用できる。
【図面の簡単な説明】
【００８７】
【図１】本発明の防犯装置を備える遊技機に相当するスロットマシンを示す前面側の正面図である。
【図２】図１中、スロットマシンの前面扉を開放し、筐体の内部が見えるように図示した正面図である。
【図３】設置島に収容された状態のスロットマシンを示す正面図である。
【図４】シャッター機構とスロットマシンとの関係を示す斜視図である。
【図５】シャッター機構とスロットマシンの基板ケースとの関係を示す正面図である。
【図６】シャッターと図柄変動表示装置との係合装置を示す斜視図である。
【図７】図６中、図柄変動表示装置側の係合ブロックを示す斜視図である。
【図８】図６中、シャッター側の係合ブロックを上下の２方向から示す斜視図である。
【図９】図６中、ストッパー部材を上下の２方向から示す斜視図である。
【図１０】図６に示す係合装置におけるロック状態を示す要部の断面図である。
【図１１】図６に示す係合装置におけるアンロック状態を示す要部の断面図である。
【図１２】シャッター機構が直接取り付けられたスロットマシンを示す斜視図である。
【符号の説明】
【００８８】
１０，１０’  スロットマシン（遊技機）
１１  筐体
１１ａ  上部材
１２  前面扉
１３  透明窓
１４  貫通孔
２１ａ  バックランプ
２１ｂ  上部ランプ
２１ｃ  サイドランプ
２２  スピーカ
２３  画像表示装置
３０  図柄変動表示装置
３１  リール
４０  ベットスイッチ
４１  スタートスイッチ
４２  ストップスイッチ
４３  メダル投入口
４４  メダル受け皿
４５  ドアキー
５０  係合ブロック
５１  取付け片
５１ａ  ねじ穴
５２  係合部
５２ａ  係合底部
５２ｂ  係合壁部
５２ｃ  第１係合凹部
５２ｄ  第２係合凹部
５２ｅ  係合保持部
５２ｆ  第１爪待避凹部
５２ｇ  番号表示部
５２ｈ  第２爪待避凹部
５２ｋ  傾斜面
５２ｍ  傾斜面
６０  係合ブロック
６１  取付け片
６１ａ  ねじ穴
６２  係合部
６２ａ  ストッパー挿入空間
６２ｂ  係合突起部
６２ｃ  番号表示部
６２ｄ  フランジ部
６２ｅ  カバー部
６３  連結部
７０  ストッパー部材
８０  外側部材
８１  底面
８２  切込み部
８３  第１係合爪部
８３ａ  傾斜面
８３ｂ  係合面
８４  第２係合爪部
９０  内側部材
９１  側面
９２  係止突起部
９３  面
１０１  電源ユニット
１０２  メダル払出し装置
１０３  リールベース
１０４  メイン制御基板
１０５  基板ケース
１０６  サブ制御基板
２００  設置島
２０１  化粧板
２１０  シャッター機構（基板ケース取外し防止装置）
２１１  シャッター
【図１】
2008173253.tif 000003
【図２】
2008173253.tif 000004
【図３】
2008173253.tif 000005
【図４】
2008173253.tif 000006
【図５】
2008173253.tif 000007
【図６】
2008173253.tif 000008
【図７】
2008173253.tif 000009
【図８】
2008173253.tif 000010
【図９】
2008173253.tif 000011
【図１０】
2008173253.tif 000012
【図１１】
2008173253.tif 000013
【図１２】
2008173253.tif 000014